(57)【要約】      （修正有）【課題】堆積物の性質にかかわらず、オリフィスから堆積物を除去することができるフロート式スチームトラップの提供。【解決手段】フロート式スチームトラップのオリフィス洗浄部材は、バイメタル１４、操作部材１５、振動提供部材１１９等を有している。振動提供部材１１９は、振動発生部１１９ａ、振動伝達軸部１１９ｂを有している。振動発生部１１９ａは、振動伝達軸部１１９ｂを振動端部１１５ｂに向かって移動させ、操作部材１５を振動させる。オリフィス１０９ａに堆積物が付着しドレンを排出できない状態で、弁室等に滞留したドレンは、弁ケーシング、バイメタル１４の温度を低下させる。洗浄端部１５ａがオリフィス１０９ａから弁室４に向かって突出し、オリフィス１０９ａに付着する堆積物を除去する。このとき、振動提供部材１１９を動作させて、操作部材１５を振動させ、突出によっては除去できない粘着性の堆積物を除去する。【選択図】図３
2015161314.tif 000002
【特許請求の範囲】
【請求項１】
外部から流入する気体又は液体を受け入れる入口、前記入口と連通する弁室、及び、前記気体又は前記液体を外部に流出させる出口を有する弁ケーシング、
オリフィス及び前記オリフィスを介して前記弁室と前記出口とを連通する排出通路を有する弁座部材、
前記弁室に配置され、前記弁座部材に離着座することによって、前記オリフィスを開閉するフロート、
前記オリフィスを清掃するオリフィス洗浄部材、
を有するフロート式スチームトラップであって、
前記オリフィス洗浄部材は、
前記排出通路内を移動し、前記オリフィスから前記弁室に向かって突出し、又は、前記通路内に埋入する操作部材、
温度に応じて前記移動部材を移動させる温度応動部材、
前記移動部材に当接し、前記オリフィスから前記弁室に向かって突出している際に、前記操作部材を振動させる振動提供部材、
を有するフロート式スチームトラップ。
【請求項２】
請求項１に係るフロート式スチームトラップにおいて、
前記振動提供部材は、
前記フロート式スチームトラップの動作状態に基づき、前記操作部材を振動させること、
を特徴とするフロート式スチームトラップ。
【請求項３】
請求項２に係るフロート式スチームトラップにおいて、
前記振動提供部材は、さらに、
前記フロート式スチームトラップの動作状態を示すトラップ動作状態情報を取得する動作状態情報取得手段、
前記トラップ動作状態情報によって、前記操作部材を振動させる振動制御手段、
を有するフロート式スチームトラップ。
【請求項４】
請求項３に係るフロート式スチームトラップにおいて、
前記振動提供部材は、
前記トラップ動作状態情報として、前記フロート式スチームトラップの温度を用いること、
を特徴とするフロート式スチームトラップ。
【請求項５】
請求項４に係るフロート式スチームトラップにおいて、
前記振動制御手段は、
前記温度が所定温度以下又は未満になると、前記操作部材を振動させること、
を特徴とするフロート式スチームトラップ。
【請求項６】
請求項１〜請求項５に係るいずれかフロート式スチームトラップにおいて、
前記振動提供部材は、
前記操作部材を前記操作部材の移動方向に沿って振動させること、
を特徴とするフロート式スチームトラップ。
【請求項７】
請求項１〜請求項５に係るいずれかフロート式スチームトラップにおいて、
前記振動提供部材は、
前記操作部材を旋回させるように振動させること、
を特徴とするフロート式スチームトラップ。
【発明の詳細な説明】
【技術分野】
【０００１】
本発明は、フロート式スチームトラップに関し、特に、オリフィスに付着する堆積物を除去するものに関する。
【背景技術】
【０００２】
従来のフロート式スチームトラップについて、図９を用いて説明する。本体１に蓋２をボルト３で締結して弁ケーシングを形成し、 内部に弁室４を形成する。本体１は入口５と出ロ通路６と出ロ７を有し、入口５は弁室４の上部に連通する。弁室４の下部の蓋２に排出通路８を開けた弁座部材９をねじ結合する。蓋２は出ロ通路１０を有し、弁室４の下部は排出通路８から出口通路１０、６を介して出口７に連通する。弁室４内に弁座部材９の弁室側端面９ａに離着座して排出通路８を開閉する中空球形のフロート１１を自由状態で配置する。
【０００３】
蓋２に弁座部材９と同一軸上にケース１３をねじ結合する。ケース１３内に温度応動部材としてのバイメタル１４を収容し、ケース１３を貢通して操作部材１５を配置する。バイメタルは熱膨張係数の異なる２種類の金属または合金を強固に一体に接着して板状に仕上げたもので、温度変化に応じて湾曲するものであり、本実施の形態のバイメタル１４は、短冊状のバイメタル平板を螺旋状に巻いて作ったつる巻き形をもう一度螺旋状に巻いて２重つる巻き形に形成する。最初のつる巻き形のときに内側が高膨張材料に外側が低膨張材料に成るようにする。このつる巻き形の場合、低温になると半径が小さくなり長さが長くなり、高温になるとこれとは逆に作用する。そして、これを用いて作った２重つる巻き形の場合、低温になると半径が小さくなり長さが長くなり、高温になるとこれとは逆に作用する。
【０００４】
操作部材１５の前方側を弁座部材９の軸心方向に摺動案内する案内孔１３ａをケース１３の一端側に設ける。ケース１３の軸心方向に進退操作可能な調節部材１６をケース１３の他端側にねじ結合する。操作部材１５の後方側を弁座部材９の軸心方向に摺動案内する案内孔１６ａを調節部材１６に設ける。
【０００５】
バイメタル１４の一端側を調節部材１６に溶接により取付け、他端側を操作部材１５に溶接により取付ける。操作部材１５は、バイメタル１４の変形により、先端部１５ａが、低温時に、前進により、弁室４内に突出し、高温時に、後退により排出通路８の先端部８ａよりも後方に位置する。操作部材１５の先端部１５ａの外径は排出通路８の先端部８ａの内径よりも僅かに小径に形成し、前進により先端部１５ａで排出通路８の先端部８ａ内面を掃除する。
【０００６】
蓋２に保護キャップ１７をねじ結合する。保護キャップ１７を取外し、調節部材１６を外部から繰作してケース１３の軸心方向にねじ込んで前進させれば、操作部材１５が前進して先端部１５ａで弁座部材９の排出通路８の先端部８ａ内面に付着した異物を掃除するときの掃除温度を高めることができ、逆に調節部材１６を後退させれば掃除温度を低めることができる。
【０００７】
弁座部材９の排出通路８の先端部８ａ内面に異物が付者して正常にドレンを排出できなくなると、バイメタル１４が低温になり操作部材１５を前進させる。これにより、操作部材１５の先端部１５ａが突出し、弁座部材９の排出通路８の先端部８ａ内面に付着した異物を外側に除去する。異物が除去されると排出通路８から出ロ通路６に向けてドレンが流入して、バイメタル１４が高温になり操作部材１５を後退させる（上記に関連する技術が特許文献１に開示されている）。
【先行技術文献】
【特許文献】
【０００８】
【特許文献１】特開２００７−１３８９８４号公報
【発明の概要】
【発明が解決しようとする課題】
【０００９】
前述の従来のフロート式スチームトラップには、以下に示すような改善すべき点がある。従来のフロート式スチームトラップでは、操作部材１５の前進により先端部１５ａで排出通路８の先端部８ａ内面、すなわちオリフィスに付着する堆積物を外側に除去する。しかしながら、粘着性が高い堆積物等、堆積物の性質によっては、操作部材１５が堆積物を押したり貫通したりするだけで外側に除去できず、排出通路８にドレンを流入させることができない場合がある、という改善すべき点がある。
【００１０】
そこで、本発明は、堆積物の性質にかかわらず、オリフィスから堆積物を除去することができるフロート式スチームトラップを提供することを目的とする。
【発明の効果】
【００１１】
本発明における課題を解決するための手段及び発明の効果を以下に示す。
【００１２】
本発明に係るフロート式スチームトラップは、外部から流入する気体又は液体を受け入れる入口、前記入口と連通する弁室、及び、前記気体又は前記液体を外部に流出させる出口を有する弁ケーシング、オリフィス及び前記オリフィスを介して前記弁室と前記出口とを連通する排出通路を有する弁座部材、前記弁室に配置され、前記弁座部材に離着座することによって、前記オリフィスを開閉するフロート、前記オリフィスを清掃するオリフィス洗浄部材、を有するフロート式スチームトラップであって、前記オリフィス洗浄部材は、前記排出通路内を移動し、前記オリフィスから前記弁室に向かって突出し、又は、前記通路内に埋入する操作部材、温度に応じて前記移動部材を移動させる温度応動部材、前記移動部材に当接し、前記オリフィスから前記弁室に向かって突出している際に、前記操作部材を振動させる振動提供部材、を有する。
【００１３】
これにより、オリフィスに粘着性が高い等、除去が難しい堆積物が付着していても、容易に堆積物を除去することができる。
【００１４】
本発明に係るフロート式スチームトラップでは、前記振動提供部材は、前記フロート式スチームトラップの動作状態に基づき、前記操作部材を振動させること、を特徴とする。
【００１５】
これにより、フロート式スチームトラップが正常に動作していない動作状態にあるときに、オリフィスから堆積物を除去することができる。
【００１６】
本発明に係るフロート式スチームトラップでは、前記振動提供部材は、さらに、前記フロート式スチームトラップの動作状態を示すトラップ動作状態情報を取得する動作状態情報取得手段、前記トラップ動作状態情報によって、前記操作部材を振動させる振動制御手段、を有する。
【００１７】
これにより、操作部材を振動させるだけで、オリフィスの堆積物を容易に除去することができる。
【００１８】
本発明に係るフロート式スチームトラップでは、前記振動提供部材は、前記トラップ動作状態情報として、前記フロート式スチームトラップの温度を用いること、を特徴とする。
【００１９】
これにより、フロート式スチームトラップの動作状態をフロート式スチームトラップの温度によって判断できる場合に、オリフィスから堆積物を除去することができる。
【００２０】
本発明に係るフロート式スチームトラップでは、前記振動制御手段は、前記温度が所定温度以下又は未満になると、前記操作部材を振動させること、を特徴とする。
【００２１】
これにより、フロート式スチームトラップの温度が所定温度以下又は未満になり、フロート式スチームトラップが正常に動作していない動作状態にあるときに、オリフィスから堆積物を除去することができる。
【００２２】
本発明に係るフロート式スチームトラップでは、前記振動提供部材は、前記操作部材を前記操作部材の移動方向に沿って振動させること、を特徴とする。
【００２３】
これにより、操作部材を操作部材の移動方向に振動させるだけで、容易にオリフィスから堆積物を除去できる。
【００２４】
本発明に係るフロート式スチームトラップでは、前記振動提供部材は、前記操作部材を旋回させるように振動させること、を特徴とする。
【００２５】
これにより、操作部材を旋回させるように振動させるだけで、容易にオリフィスから堆積物を除去できる。
【図面の簡単な説明】
【００２６】
【図１】本発明に係るフロート式スチームトラップの一実施例であるフロート式スチームトラップ１００を示す図である。
【図２】弁ケーシング１０１の断面を示す図である。
【図３】フロート式スチームトラップ１００のオリフィス清掃部材１０７の取付部を拡大して示した図である。
【図４】振動発生部１１９ａの内部構成を示す図である。
【図５】振動の際の洗浄端部１５ａの動作を示す図である。
【図６】制御回路１３１の動作を示すフローチャートである。
【図７】本発明に係るフロート式スチームトラップのその他の実施例を示す図である。
【図８】本発明に係るフロート式スチームトラップのその他の実施例を示す図である。
【図９】従来のフロート式スチームトラップを示す図である。
【発明を実施するための形態】
【００２７】
以下、本発明の実施例について、図面を参照しながら詳細に説明していく。本発明に係るプロセスシステム構成機器作動情報提供装置の一実施例として、蒸気システムに用いられるスチームトラップの作動状態を提供するトラップ作動状態提供装置について説明する。
【実施例１】
【００２８】
第１  フロート式スチームトラップ１００の構成
本願発明に係るフロート式スチームトラップの一実施例であるフロート式スチームトラップ１００について図１〜図３を用いて説明する。図１は、フロート式スチームトラップ１００の一部断面を示している。図２は、図１に示すフロート式スチームトラップ１００の弁ケーシング１０１の断面図を示している。また、図３は、図１に示すフロート式スチームトラップ１００のオリフィス清掃部材１０７の取付部を拡大して示した図である。なお、図３においては、トラップ状態取得センサＳを取り外した状態を示している。
【００２９】
図１に示すように、フロート式スチームトラップ１００は、弁ケーシング１０１、フロート１１、弁座部材９、及び、オリフィス清掃部材１０７を有している。また、フロート式スチームトラップ１００には、トラップ状態取得センサＳが取り付けられている。トラップ状態取得センサＳは、フロート式スチームトラップ１００の動作状態を示すフロート式スチームトラップ１００の温度、具体的には弁ケーシング１０１（後述）の温度を取得するセンサである。
【００３０】
図２に示すように、弁ケーシング１０１は、本体１と蓋２とをボルト３で結合することによって形成される。弁ケーシング１０１は、弁室４、入口５、本体１に形成される出口通路６（以下、第１出口通路６）、出口７、蓋２に形成される出口通路１０（以下、第２出口通路１０）、オリフィス清掃部材取付空間１２７、及び、弁座部材取付空間１２９を有している。
【００３１】
弁室４は、弁ケーシング１０１の内部に位置する空間として形成される。入口５は、弁室４と連通するように形成される。入口５は、弁ケーシング１０１の外部から流入する蒸気やドレンを受け入れる。出口７は、入口５から弁ケーシング１０１の内部に流入した蒸気やドレンを、弁ケーシング１０１の外部に流出させる。第１出口通路６は、出口７と連通するように形成される。第２出口通路１０は、第１出口通路６及び弁座部材取付空間１２９（後述）と連通する。
【００３２】
オリフィス清掃部材取付空間１２７及び弁座部材取付空間１２９は、蓋２に形成される。オリフィス清掃部材取付空間１２７及び弁座部材取付空間１２９は、連続して形成される。オリフィス清掃部材取付空間１２７は、外部と連通するように形成され、一方、弁座部材取付空間１２９は、弁室４と連通するように形成される。
【００３３】
なお、弁ケーシング１０１の本体１には、トラップ状態取得センサＳを取り付けるためのセンサ取付孔Ｓａを有している。また、トラップ状態取得センサＳは、センサ取付孔Ｓａの底面ＰＳを介して弁ケーシング１０１の温度を取得する。
【００３４】
図１に戻って、フロート１１は、弁室４に遊置される球状物体である。フロート１１は、弁室４に貯留されるドレンの量によって、弁室４を上下に移動する。
【００３５】
弁座部材９は、蓋２の弁座部材取付空間１２９（図２参照）に取り付けられる。これにより、弁座部材９は、弁室４の下部に配置される。
【００３６】
図３に示すように、弁座部材９は、オリフィス１０９ａ及び排出通路８を有している。なお、弁室４は、オリフィス１０９ａを介して排出通路８と連通する。また、排出通路８は、弁座部材取付空間１２９、第２出口通路１０、第１出口通路６を介して、出口７と連通している。つまり、弁室４は、オリフィス１０９ａを介して出口７と連通している。
【００３７】
オリフィス１０９ａは、弁室４に貯留するドレンの量に基づくフロート１１の弁室４における位置によって開閉する。具体的には、弁室４に貯留するドレンが所定量以下のときは、フロート１１（点線）が弁座部材９に着座し、オリフィス１０９ａは閉じられる。一方、弁室４に貯留するドレンが所定量より多いときは、フロート１１（一点鎖線）が弁座部材９から離座し、オリフィス１０９ａは開放される。
【００３８】
オリフィス洗浄部材１０７は、ケース１３、バイメタル１４、操作部材１５、調節部材１６、保護キャップ１１７、及び、振動提供部材１１９を有している。ケース１３は、蓋２のオリフィス清掃部材取付空間１２７（図２参照）に取り付けられる。なお、ケース１３は、弁座部材９と互いの軸心が一致するように取り付けられる。ケース１３は、一端が閉じられ、一端が開放されている円筒形状を有している。ケース１３の閉じられている端部には、操作部材１５を弁座部材９の軸心方向に摺動案内する案内孔１３ａが形成されている。ケース１３の開放されている端部には、調節部材１６が取り付けられる。
【００３９】
調整部材１６は、ケース１３の軸心方向に沿って移動可能なように、ケース１３にねじ結合される。調整部材１６は、操作部材１５を弁座部材９の軸心方向に摺動案内する案内孔１６ａを有している。なお、操作部材１５は、案内孔１３ａ及び案内孔１６ａによって支持され、弁座部材９の軸心方向に沿って位置する。
【００４０】
バイメタル１４は、バイメタルによって形成した螺旋形状を有している。バイメタル１４が形成する螺旋の内部には、操作部材１５が配置される。バイメタル１４の一端は、操作部材１５の操作軸部１１５ｃ（後述）に固定される。また、バイメタル１４の操作部材１５に取り付けられる端部とは異なる端部は、調整部材１６に取り付けられる。
【００４１】
バイメタル１４は、温度応動部材である。バイメタル１４は、低温になると、螺旋状の半径が小さくなり、結果としてバイメタル１４の操作部材１５に沿った長さが長くなり、一方、高温になると、螺旋状の半径が大きくなり、結果として、バイメタル１４の操作部材１５に沿った長さが短くなるように形成されている。したがって、温度変化によるバイメタル１４の形状変化により、操作部材１５を弁座部材９の軸心方向に沿って移動させることができる。
【００４２】
操作部材１５は、棒状部材である。操作部材１５は、オリフィス１０９ａ側の先端部１５ａ（以下、洗浄端部１５ａ）、洗浄端部１５ａとは異なる端部である振動端部１１５ｂ、及び、洗浄端部１５ａと振動端部１１５ｂとの間に位置する操作軸部１１５ｃを有している。洗浄端部１５ａは、オリフィス１０９ａの直径より若干小さい直径を有している。一方、振動端部１１５ｂは、洗浄端部１５ａよりも大きな直径を有している。
【００４３】
保護キャップ１１７は、ケース１３、バイメタル１４、操作部材１５、調整部材１６を覆うように、弁ケーシング１０１に取り付けられる。また、保護キャップ１１７は、振動提供部材１１９の振動伝達軸部１１９ｂ（後述）が貫通する振動伝達軸部用空間１１７ａを有している。
【００４４】
振動提供部材１１９は、振動発生部１１９ａ及び振動伝達軸部１１９ｂを有している。振動発生部１１９ａは、振動伝達軸部１１９ｂを操作部材１５の振動端部１１５ｂに向かって移動させるとともに、操作部材１５を振動させる振動を発生する。
【００４５】
振動発生部１１９ａの内部構成について、図４を用いて説明する。振動発生部１１９ａは、制御回路１３１、通信回路１３３、軸部動作機構１３５、及び、振動機構１３７を有している。制御回路１３１は、通信回路１３３を介してトラップ状態取得センサＳから取得するトラップ作動状態情報に基づいて、軸部動作機構１３５、振動機構１３７を動作させる。通信回路１３３は、トラップ状態取得センサＳからトラップ作動状態情報を取得する。ここで、トラップ作動状態情報とは、フロート式スチームトラップ１００の動作状態を示す情報であり、例えば、フロート式スチームトラップ１００の温度が該当する。
【００４６】
軸部動作機構１３５は、軸部動作用モータ１３５ｍを有している。軸部動作機構１３５は、軸部動作用モータ１３５ｍを動作させることによって、振動伝達軸部１１９ｂを動作させる。なお、振動伝達軸部１１９ｂを動作させる機構としては、例えば、軸部動作用モータ１３５ｍの回転軸に取り付けた歯車と、振動伝達軸部１１９ｂと一体となって移動するラックとを組み合わせるものがある。これにより、軸部動作用モータ１３５ｍを回転させることによって、振動伝達軸部１１９ｂを動作させることができる。
【００４７】
振動機構１３７は、振動用モータ１３７ｍを有している。振動機構１３７は、振動用モータ１３７ｍを動作させることによって、振動伝達軸部１１９ｂを振動させる振動を発生する。なお、振動を発生させる機構としては、例えば、携帯電話に用いられているバイブレーション機構がある。
【００４８】
図３に戻って、振動伝達軸部１１９ｂは、操作部材１５に当接し、振動発生部１１９ａが発生した振動を操作部材１５に伝達する。振動伝達軸部１１９ｂは、操作部材１５側の端部に、操作部材１５の振動端部１１５ｂを受容する操作部材受容凹部１１９ｂ１を有している。操作部材受容凹部１１９ｂ１は、振動端部１１５ｂの形状に適合する凹形状を有している。これにより、振動伝達軸部１１９ｂは、効率よく操作部材１５に伝達することができる。
【００４９】
振動提供部材１１９は、振動発生部１１９ａによって、図５に示すように、操作部材１５が弁座部材９の軸心方向（矢印ａ５１方向）に往復動作するように、振動伝達軸部１１９ｂを弁座部材９の軸心方向（矢印ａ５３方向）に振動させる。このとき、操作部材１５の洗浄端部１５ａの先端が、オリフィス１０９ａを中心に突出、埋入を繰り返すように振動させてもよい。
【００５０】
第２  フロート式スチームトラップ１００の動作
１．動作の概要
フロート式スチームトラップ１００の動作の概要について説明する。フロート式スチームトラップ１００が正常に動作している状態では、高温のドレンが、入口５を介して弁室４に流入する。弁室４に十分なドレンが貯留し、フロート１１が弁座部材９から離座し、オリフィス１０９ａが開放されている状態では、高温のドレンが、オリフィス１０９ａを介してケース１３にも流入する。このため、バイメタル１４も高温状態となり、操作部材１５は、弁座部材９の排出通路８内に埋入した状態となる。また、フロート１１が弁座部材９に着座し、オリフィス１０９ａが閉じられている状態でも、弁室４には、高温のドレンや高温の蒸気の流入があるため、弁ケーシング１０１が高温に維持される。このため、バイメタル１４も高温状態となり、操作部材１５は、排出通路８内に埋入した状態となる。つまり、フロート式スチームトラップ１００が正常に動作している状態では、操作部材１５は、排出通路８内に埋入した状態となる。
【００５１】
一方、オリフィス１０９ａに堆積物が付着し、ドレンを全く排出できない、又は、必要な量のドレンを排出できない状態では、いずれドレンが弁室４を満たし、さらには、入口５までも満たし、弁室４、入口５にドレンが滞留することになる。滞留したドレンは温度が低下し、ひいては、弁ケーシング１０１の温度を低下させる。そして、バイメタル１４の温度が低下し、操作部材１５は弁室４に向かって移動し、操作部材１５の洗浄端部１５ａがオリフィス１０９ａから弁室４に向かって突出する。これにより、オリフィス１０９ａに付着する堆積物を除去する。なお、ドレンを排出できない状態においては、弁室４に必要以上のドレンが滞留しているため、フロート１１は弁座部材９から離座している。
【００５２】
このとき、振動提供部材１１９を動作させて、操作部材１５を振動させ、突出によっては除去できない粘着性の堆積物を、オリフィス１０９ａから除去する。なお、振動提供部材１１９は、トラップ状態取得センサＳから取得するトラップ作動状態情報に基づいて動作する。
【００５３】
２．振動提供部材１１９の動作
振動提供部材１１９の動作について、図６を用いて説明する。振動提供部材１１９の制御回路１３１は、トラップ状態取得センサＳからトラップ作動状態情報を取得すると（Ｓ５０１）、トラップ作動状態情報が所定の条件を満たしているか否かを判断する（Ｓ５０３）。例えば、トラップ作動状態情報として弁ケーシング１０１の温度を用いる場合、弁ケーシング１０１の温度が所定の設定温度以上か否かを判断する。なお、所定の設定温度については、制御回路１３１に予め記憶しておく。
【００５４】
振動制御手段を構成する制御回路１３１は、例えば弁ケーシング１０１の温度が所定温度以下又は未満になること等により、トラップ作動状態情報が所定の要件を満たしていないと判断すると、軸部動作用モータ１３５ｍを駆動し、軸部動作機構を動作させる（Ｓ５０５）。このとき、振動提供部材１１９の振動伝達部１０９ｂを弁室４に向かう方向へ移動させ、操作部材１５をオリフィス１０９ａから突出させる。その後、制御回路１３１は、振動用モータ１３７ｍを駆動し、振動を発生させる（Ｓ５０７）。これにより、操作部材１５を、オリフィス１０９ａから突出した状態で、振動させることができるので、オリフィス１０９ａに付着する堆積物を除去することができる。
【００５５】
制御回路１３１は、所定時間、振動用モータ１３７ｍを駆動したと判断すると（Ｓ５０９）、振動用モータ１３７ｍの駆動を停止して、振動の発生を停止する（Ｓ５１１）。そして、制御回路１３１は、軸部動作用モータ１３５ｍを駆動し、軸部動作機構を動作させる（Ｓ５１３）。このとき、振動提供部材１１９の振動伝達部１０９ｂを振動伝達部１０９ｂに向かう方向へ移動させ、操作部材１５を弁座部材９の排出通路８内に埋入させる。
【００５６】
これにより、オリフィス１０９ａに付着する堆積物が粘着性の高いものであっても、堆積物を適切なタイミングで確実に除去することができる。
【００５７】
［他の実施例］
（１）トラップ作動状態情報の種類：前述の実施例１においては、トラップ作動状態情報として、弁ケーシング１０１の温度を用いたが、フロート式スチームトラップ１００の動作状態を示すものであれば、例示のものに限定されない。例えば、弁室４の圧力であってもよい。
【００５８】
（２）トラップ作動状態情報の取得：前述の実施例１においては、トラップ作動状態情報を、トラップ状態取得センサＳを介して取得するとしたが、トラップ作動状態情報を取得できるものであれば、例示のものに限定されない。例えば、ネットワークを介して、フロート式スチームトラップ１００の動作状態を監視するサーバから取得するようにしてもよい。
【００５９】
（３）操作部材１５の振動方向：前述の実施例１においては、操作部材１５を操作部材１５の動作方向、つまり弁座部材９の軸心方向に沿って振動させるとしたが、オリフィス１０９ａに付着した堆積物を除去できる方向であれば、例示のものに限定されない。例えば、図７に示すように、操作部材１５が矢印ａ７１方向に示すように旋回するように、振動伝達軸部１１９ｂを矢印ａ７３方向に旋回させてもよい。また例えば、操作部材１５が図５の矢印ａ５１方向と垂直な方向に振動するように、振動伝達軸部１１９ｂを矢印ａ５３方向と垂直な方向に振動させてもよい。
【００６０】
（４）軸部動作機構１３５：前述の実施例１においては、軸部動作機構１３５として、軸部動作用モータ１３５ｍを利用するものを例示したが、振動伝達軸部１１９ｂを動作させることができるものであれば、例示のものに限定されない。例えば、弾性部材を利用して、振動伝達軸部１１９ｂを操作部材１５の振動端部１１５ｂの方向に付勢し、振動伝達軸部１１９ｂと操作部材１５の振動端部１１５ｂとが常に当接するようにしてもよい。
【００６１】
（５）制御回路１３１の動作：前述の実施例１における制御回路１３１の動作は、その目的を達成できるものであれば、例示のフローチャートが示すものに限定されない。例えば、図６のフローチャートのステップＳ５０９における所為時間の振動用モータ１３７ｍの駆動に変えて、図８に示すように、制御回路１３１は、トラップ状態取得センサＳからそのときのトラップ作動状態情報を取得し（Ｓ８０１）、取得したトラップ作動状態情報が所定の条件を満たしているか否かに基づいて（Ｓ８０３）、振動用モータ１３７ｍの駆動を停止して、振動の発生を停止するようにしてもよい。ステップＳ８０３において、具体的には、制御回路１３１は、弁ケーシング１０１の温度が所定の設定温度以上か否かを判断して、振動の発生を停止するように制御することができる。なお、図８においては、図６と同じ処理については、同じ符号を付している。。
【００６２】
（６）温度応動部材：前述の実施例１においては、温度応動部材としてバイメタル１４を用いたが、温度に応じて移動部材を移動させることができる部材であればバイメタル以外の部材を用いることができる。例えば、温度応動部材として、高温時に長さが短くなり、低温時に長さが長くなる形状記憶合金製部材を用いることができる。
【産業上の利用可能性】
【００６３】
本発明に係るフロート式スチームトラップは、例えば、蒸気プラントにおいて使用するフロート式スチームトラップに利用することができる。
【符号の説明】
【００６４】
１００・・・・・フロート式スチームトラップ
１０７・・・・オリフィス洗浄部材
１３・・・・ケース
１４・・・・バイメタル
１５・・・・操作部材
１６・・・・調整部材
１１９・・・振動提供部材
１１９ａ・・・振動発生部
１３１・・・制御回路
１３３・・・制御回路
１３５・・・軸部動作機構
１３７・・・振動機構
１１９ｂ・・・振動伝達軸部
【図１】
2015161314.tif 000003
【図２】
2015161314.tif 000004
【図３】
2015161314.tif 000005
【図４】
2015161314.tif 000006
【図５】
2015161314.tif 000007
【図６】
2015161314.tif 000008
【図７】
2015161314.tif 000009
【図８】
2015161314.tif 000010
【図９】
2015161314.tif 000011